(57)【要約】【課題】コネクタハウジング及びパッキンの形状を複雑にすることなく、コネクタハウジングのパッキン収容溝内にてパッキンの回転が回転することを防止することのできる防水コネクタを提供することを目的としている。【解決手段】相手ケースの壁部を貫通する電線４の端末に設けられ前記壁部に当接状態で取り付けられるコネクタ本体２と、このコネクタ本体２の前記壁部への当接面２９に設けられたシール収容溝３１に収容されて前記壁部と当接面２９との間をシールするパッキン３とを備えた防水コネクタ１であって、前記シール収容溝３１内の前記パッキン３の正規な姿勢を保持する姿勢保持部を前記パッキン３に設けたことを特徴とする。【選択図】図４
2014232628.tif 000002
【特許請求の範囲】
【請求項１】
相手ケースの壁部を貫通する電線の端末に設けられ前記壁部に当接状態で取り付けられるコネクタ本体と、このコネクタ本体の前記壁部への当接面に設けられたシール収容溝に収容されて前記壁部と当接面との間をシールするパッキンとを備えた防水コネクタであって、
前記シール収容溝内の前記パッキンの正規な姿勢を保持する姿勢保持部を前記パッキンに設けたことを特徴とする防水コネクタ。
【請求項２】
請求項１記載の防水コネクタであって、
前記パッキンは、パッキン本体部と、前記姿勢保持部が形成されるパッキン側面部と、前記壁部に当接する壁面当接部とで形成され、
前記姿勢保持部は、前記パッキン側面部から前記シール収容溝の側面に向けて突出する突起部であることを特徴とする防水コネクタ。
【請求項３】
請求項２記載の防水コネクタであって、
前記パッキン本体部は、前記シール収容溝と当接する一対の先端部と、前記先端部との間で凹設するように凹部が設けられていることを特徴とする防水コネクタ。
【発明の詳細な説明】
【技術分野】
【０００１】
本発明は、防水コネクタに関し、特にコネクタ内の防水性を保つためのシール構造に関するものである。
【背景技術】
【０００２】
従来、図５，６示すような防水コネクタ１００では、コネクタ本体１０１と、コネクタ本体１０１の外周を覆うようにして固定されるシェル１０２と、コネクタ本体１０１内に収容されて支持固定されるターミナル１０３と、からなっている。
【０００３】
このコネクタ本体１０１は、図示しないユニットケース等に取り付けられるため、ユニットケースとコネクタ本体１０１との間のシール性を保つためのパッキン１０４がコネクタ本体１０１に配置されている。
【０００４】
このパッキン１０４は、コネクタ本体１０１に形成される凹溝１０５にパッキン１０４の一部が露出するようにして収容され、ユニットケースとコネクタ本体１０１との間で狭持されることによりパッキン１０４が弾性変形して凹溝１０５内に押し付けられるとともに、ユニットケースとコネクタ本体１０１との間から水等が浸入することを防止している。
【０００５】
しかし、図５、６に示すような防水コネクタ１００では、コネクタ本体１０１をユニットケースに取り付ける際、凹溝１０５の幅Ａよりもパッキン１０４の幅Ｂが狭いためユニットケースが図５の矢印Ｒ１，Ｒ２に示すような方向に動くことにより、ユニットケースに当接したパッキン１０４が図５の矢印Ｒ１，Ｒ２に示すように凹溝１０５内で回転してしまう虞があった。
【０００６】
この場合、パッキン１０４が凹溝１０５内で回転することにより、図６に示すように、パッキン１０４が凹溝１０５から露出しないため、ユニットケースとコネクタ本体１０１との間で狭持されることがなく、パッキン１０４を弾性変形して凹溝１０５内に押し付けることができず、ユニットケースとコネクタ本体１０１との間のシール性を保つことができない虞があった。
【０００７】
また、パッキン１０４の回転を防止するためには、凹溝１０５の幅を狭くすることやパッキン１０４の厚さを変更することなども考えられるが、充填率が高くなってしまい、凹溝１０５へのパッキン１０４の取り付け性が悪くなり、パッキン１０４を確実に正規の位置に取り付けることができない。
【０００８】
また、パッキン１０４が取り付けられたコネクタ本体１０１をユニットケースに取り付ける際には、パッキン１０４が弾性変形して凹溝１０５内に収容されるが、凹溝１０５の幅やパッキン１０４の厚さを変更することによりパッキン１０４が収容されるための空隙が少なくなってしまい、パッキン１０４を正規の位置に取り付けることができず、コネクタをユニットケースに取り付けられないため、シール性を保つことが困難になってしまうという課題があった。
【０００９】
なお、パッキン１０４が凹溝１０５内に押し付けられることによって、パッキン１０４が幅方向に弾性変形するため、図６に示すようにパッキン１０４の幅Ｂよりも凹溝１０５の幅Ａを広くしなくてはならない。
【００１０】
それに対して特許文献１では、コネクタハウジングと相手側コネクタハウジングとの間に設けられるパッキンは、中実環状のパッキン本体と、突出片としての外側突出片と、突出片としての内側突出片と、固定部としての孔と、固定部としての係止爪とを一体に備えている。
【００１１】
このパッキンは、第１の接触箇所がコネクタハウジングの凹溝の底面に相対する状態に位置づけられた後、この第１の接触箇所から凹溝内に挿入される。そして、係止爪がコネクタハウジングに形成された係止受け孔内に圧入されて、係止爪がコネクタハウジングに固定されている。この構成により、上述した図５，６のようにパッキンが回転することを防止することができる。
【先行技術文献】
【特許文献】
【００１２】
【特許文献１】特開２００４−３２７１６９
【発明の概要】
【発明が解決しようとする課題】
【００１３】
しかしながら、特許文献１に示すような従来のパッキンでは、パッキンをコネクタハウジングの凹溝に固定するために係止爪を設けなければならず、さらには係止爪を係止する係止受け孔をコネクタハウジングに設けなければならないため、コネクタハウジング及びパッキンの形状が複雑になってしまうという課題があった。
【００１４】
そこで、本発明は、コネクタハウジング及びパッキンの形状を複雑にすることなく、コネクタハウジングのパッキン収容溝内にてパッキンの回転が回転することを防止し、確実に防水を保つことのできる防水コネクタを提供することを目的としている。
【課題を解決するための手段】
【００１５】
上記の課題を解決するために、請求項１記載の発明では、相手ケースの壁部を貫通する電線４の端末に設けられ前記壁部に当接状態で取り付けられるコネクタ本体２と、このコネクタ本体２の前記壁部への当接面２９に設けられたシール収容溝３１に収容されて前記壁部と当接面２９との間をシールするパッキン３とを備えた防水コネクタ１であって、前記シール収容溝３１内の前記パッキン３の正規な姿勢を保持する姿勢保持部を前記パッキン３に設けたことを特徴とする。
【００１６】
請求項２の発明では、請求項１記載の防水コネクタ１であって、前記パッキン３は、パッキン本体部５５と、前記姿勢保持部が形成されるパッキン側面部６０と、前記壁部に当接する壁面当接部６２とで形成され、前記姿勢保持部は、前記パッキン側面部６０から前記シール収容溝３１の側面３５に向けて突出する突起部５７であることを特徴とする。
【００１７】
請求項３の発明では、請求項２記載の防水コネクタ１であって、前記パッキン本体部５５は、前記シール収容溝３１と当接する一対の先端部６１と、前記先端部６１との間で凹設するように凹部５９が設けられていることを特徴とする。
【発明の効果】
【００１８】
請求項１記載の発明によれば、シール収容溝３１内のパッキン３の正規な姿勢を保持する姿勢保持部をパッキン３に設けたことにより、パッキン３をシール収容溝３１に確実に正規の姿勢で収容することができるため、防水コネクタ１内の防水を確実に保つことができる。
【００１９】
また、請求項２記載の発明によれば、パッキン３は、パッキン本体部５５と、シール収容溝３１の側面３５に当接するパッキン側面部６０と、壁部に当接する壁面当接部６２とで形成され、姿勢保持部は、パッキン側面部６０からシール収容溝３１の側面３５に向けて突出する突起部５７であるため、突起部５７がシール収容溝３１の側面３５に当接し、防水コネクタ１を相手側のコネクタハウジングに取り付ける際、突起部５７がパッキン３の回転を防止することができる。
【００２０】
また、パッキン３に突起部５７を設けるだけの構成であるので、パッキン３及びシール収容溝３１に複雑な加工を施すことがないため、防水コネクタ１を容易に製造することができる。
【００２１】
加えて、シール収容溝３１の対向する側面３５間の距離（Ｃ）から前記側面３５へ向けて突出する突起部５７間の距離（Ｄ）を引いた値が、前記シール収容溝３１の側面３５間の距離からパッキン本体部５５の厚み寸法を引いた値より小さいことにより、シール収容溝３１内に突起部５７が当接してパッキン３が回転することを防止することができる。
【００２２】
すなわち、突起部５７を備えたパッキン３がコネクタ本体２に形成されたシール収容溝３１に収容されるため、突起部５７の突出高さによりシール収容溝３１の幅Ｃとパッキン３の幅Ｄを従来の構造（幅Ａと幅Ｂとの隙間）よりもシール収容溝３１とパッキン３との隙間を小さくすることができる。また、パッキン３をシール収容溝３１に挿入した状態では、パッキン本体部５５の突起部５７とシール収容溝３１の側面３５とは当接しておらず、パッキン３の壁面当接部６２が相手側のコネクタハウジングの壁部に当接し、パッキン３が弾性変形することで、突起部５７がシール収容溝３１の側面３５に当接し、パッキン３の回転を防止することができる。
【００２３】
したがって、相手側のコネクタハウジングに取り付ける際に、突起部５７がパッキン３の回転を防止し、シール収容溝３１から露出したパッキン３をシール収容溝３１に押し付けることができるので、防水コネクタ１と相手側コネクタとの間を確実にシールすることができる。
【００２４】
さらに、請求項３の発明によれば、パッキン本体部５５に一対の先端部６１が設けられていることにより、一対の先端部６１がシール収容溝３１の底面溝３３に当接するため、防水コネクタ１組み付け時にパッキン３がシール収容溝３１内で回転しようとする回転力を分散することができ、パッキン３の回転を防止することができる。
【００２５】
また、一対の先端部６１の間に凹設して形成される凹部５９が設けられていることにより、シール収容溝３１へのパッキン３の充填率を高めることなくパッキン３をシール収容溝３１内に収容することができる。
【図面の簡単な説明】
【００２６】
【図１】本発明の防水コネクタ用シール構造が用いられる防水コネクタの斜視図。
【図２】本発明の防水コネクタ用シール構造が用いられる防水コネクタの分解斜視図。
【図３】図１のＡ−Ａ線断面図。
【図４】本発明の防水コネクタ用シール構造の要部拡大図。
【図５】従来の防水コネクタ用シール構造を示す断面図。
【図６】（ａ）従来の防水コネクタ用シール構造の要部拡大図、（ｂ）従来の防水コネクタ用シール構造の要部拡大図。
【発明を実施するための形態】
【００２７】
以下、本発明の実施の形態について、図面を用いて詳細に説明する。
【００２８】
図１〜６を用いて、本発明の防水コネクタ１について説明する。
【００２９】
図１に示すように本発明の防水コネクタ１は、相手ケースの壁部を貫通する電線４の端末に設けられ壁部に当接状態で取り付けられるコネクタ本体２と、このコネクタ本体の相手側ケースの壁部への当接面２９に設けられたシール収容溝３１に収容されて相手側ケースの壁部と当接面２９との間をシールするパッキン３とからなっている。
【００３０】
コネクタ本体２は、内部に導電部材が配置される略筒箱状のハウジング部５と、一端がハウジング部５内に固定され他端がハウジング部５から露出しているターミナル部７と、後述する電線４をハウジング部５内で支持して固定するシールラバー部９と、ハウジング部５の開口に取り付けられるリヤホルダ部１１と、ハウジング部５の外周を覆うようにして配置されるシェル部１５と、シェル部１５の外周に配置されて図示しない編組を、シェル部１５に固定するためのシールドリング部１３と、からなっている。
【００３１】
図２，３に示すように略筒箱状のハウジング部５は、一端側に電線４が挿入される中空状のハウジング本体部１７と、ハウジング本体部１７の一端から突出するようにして形成されるフランジ部１９と、フランジ部１９から垂直に立設されるターミナル支持部２１と、からなっている。
【００３２】
中空状のハウジング本体部１７の内部には、一方の端部側に後述する電線４が挿入される電線収容側開口部２３と、後述するシールラバー部９が収容されるシールラバー収容部２５と、ターミナル部７の一端が収容されるターミナル収容部２７と、が形成されている。
【００３３】
電線収容側開口部２３は、ハウジング本体部１７の一方の端部側が開口して形成されており、この電線収容側開口部２３には後述するリヤホルダ部１１が挿入されて嵌合している。
【００３４】
電線収容側開口部２３から連設して形成されるシールラバー収容部２５は、後述するシールラバー部９が収容される。
【００３５】
シールラバー収容部２５から連設して形成されるターミナル収容部２７は、ターミナル部７の一端が収容されており、このターミナル収容部２７にて後述する電線４と電気的に接続している。
【００３６】
ハウジング本体部１７の電線収容側開口部２３と反対側の端部から突設するようにしてフランジ部１９が形成されている。このフランジ部１９の図示しない相手側コネクタと接する当接面２９には、シール収容溝３１がフランジ部１９の外周縁に沿って環状に凹設して形成されている。
【００３７】
後述するパッキン３が収容されるシール収容溝３１は、フランジ部１９の当接面２９に凹設して形成される底面溝３３と、底面溝３３と当接面２９とを連続するようにして形成される側面３５と、からなっている。
【００３８】
なお、本発明のシール収容溝３１は、後述するパッキン３の高さ、厚みによって適宜変更可能である。
【００３９】
フランジ部１９から突設するターミナル支持部２１は、一端がターミナル収容部２７に収容されたターミナル部７を支持しており、ターミナル部７の他端を防水コネクタ１の外部へ露出している。また、ターミナル支持部２１の内側には、ターミナル部７に設けられた係止穴４５に係止する係止突起３７が設けられている。
【００４０】
ターミナル支持部２１に支持されるターミナル部７は、ターミナル支持部２１に支持される板状部３９と、後述する電線４と接続する接続部４１とが連続するようにして形成されている。
【００４１】
ターミナル支持部２１に狭持されるようにして支持され一部がターミナル支持部２１から露出する板状部３９は、ターミナル支持部２１から突設する係止突起３７と係止する係止穴４５と、図示しない相手側のコネクタと接続する接続穴４３が設けられている。
【００４２】
接続部４１は、板状部３９から連続して設けられる一対の狭持片４７が設けられている。この一対の狭持片４７を互いに近接する方向に折り曲げて後述する電線４の芯線６５を板状部３９と狭持片４７によって狭持し、電線４とターミナル部７とを電気的に接続する。
【００４３】
シールラバー部９は、後述する電線４の外周面６９に固定されており、ハウジング本体部１７のシールラバー収容部２５に圧入にして収容されている。このシールラバー部９の表面には、リップ部４９が形成されており、電線収容側開口部２３から水等がハウジング部５内に浸入するのを防止している。
【００４４】
リヤホルダ部１１は、シールラバー部９に隣接して電線４の外周面６９に固定されており、端部１２が電線収容側開口部２３を閉塞するようにして圧入されてハウジング本体部１７へ取り付けられている。
【００４５】
シールドリング部１３は、シェル部１５に設けられるシールドリング嵌合部５３に配置され、シールドリング部１３の内径は、シェル部１５の外周よりも小さく設定されており、図示しない編組の端部をシェル部１５との間に配置して、編線とシェル部１５を加締めるようにして配置されている。
【００４６】
ハウジング本体部１７及びフランジ部１９の外周を覆うように形成されるシェル部１５は、内周にハウジング部５が収容されるハウジング収容部５１と、外周にシールドリング部１３が嵌合されるシールドリング嵌合部５３と、からなっている。
【００４７】
上述したように、ハウジング部５を覆うようにして嵌合したシェル部１５の外周に、シールドリング部１３が配置されることにより、シェル部１５の外周をシールドリング部１３によって加締めるため、ハウジング部５を覆うようにして嵌合しているシェル部１５とハウジング部５とを強固に固定している。
【００４８】
また、シールドリング部１３が、シールラバー収容部２５の外周位置に配置されることにより、ハウジング本体部１７の電線収容側開口部２３の防水性をさらに高めている。
【００４９】
図４に示すように、シール収容溝３１に収容される環状のパッキン３は、ゴム等の弾性を有する部材からなるパッキン本体部５５と、パッキン本体部５５から突出する突起部５７と、を有している。
【００５０】
弾性を有するパッキン本体部５５には、シール収容溝３１の底面溝３３と当接する一対の先端部６１が設けられ、この先端部６１から凹設するようにして凹部５９が設けられている。この凹部５９がパッキン本体部５５に設けられることにより、シール収容溝３１へのパッキン３の充填率を高めることなく、パッキン３をシール収容溝３１へ収容することができる。
【００５１】
また、パッキン本体部５５のシール収容溝３１への挿入方向高さは、シール収容溝３１よりも高く設定されており、パッキン本体部５５の先端部６１がシール収容溝３１の底面溝３３に当接した状態では、パッキン本体部５５の壁面当接部６２がフランジ部１９の当接面２９よりも突出している。
【００５２】
さらに、パッキン本体部５５のパッキン側面部６０から突出する姿勢保持部としての突起部５７は、シール収容溝３１の側面３５側に突出する側面側突起６３が立設されている。
【００５３】
なお、シール収容溝３１から露出した壁面当接部６２は、図示しない相手側コネクタの当接面に当接し、相手側コネクタとシール収容溝３１の底面溝３３とによって狭持されることによって弾性変形し、シール収容溝３１内に押圧して収容される。
【００５４】
コネクタ本体２の電線収容側開口部２３からハウジング本体部１７内に挿入される電線４は、導電性の銅等からなる芯線６５と、芯線６５の外周を覆う絶縁性を有する芯線被覆６７と、からなっている。
【００５５】
また、電線４の端部では、芯線被覆６７に覆われた芯線６５を露出させ、ターミナル収容部２７においてターミナル部７の一端と接続することによって、電線４とターミナル部７とが電気的に接続している。
【００５６】
芯線被覆６７の外周面６９には、上述したシールラバー部９と、リヤホルダ部１１が圧入されており、シールラバー部９がシールラバー部９に収容されるとともに、リヤホルダ部１１が電線収容側開口部２３を閉塞することによって、ハウジング部５からの電線４の抜け止めを行っている。
【００５７】
次に、本発明の防水コネクタ１の組み付けについて説明する。
【００５８】
まず、図２に示すように、電線４の端部にシールラバー部９とリヤホルダ部１１を圧入して取り付ける。そして、電線４の端部から露出した芯線６５をターミナル部７の接続部４１に接続する。
【００５９】
次に、電線４を固定したターミナル部７の他端側からハウジング本体部１７の電線収容側開口部２３へ挿入し、板状部３９をターミナル収容部２７へ収容するとともに、板状部３９の一部をターミナル支持部２１から露出させてターミナル部７を支持する。
【００６０】
次に、ターミナル部７が取り付けられたハウジング部５の外周にシェル部１５を覆うようにして嵌合させ、ハウジング部５とシェル部１５とを固定する。
【００６１】
そして、ハウジング部５のフランジ部１９に設けられたシール収容溝３１にパッキン３をシール収容溝３１へ挿入することにより、防水コネクタ１の組み付けが完成する。
【００６２】
上述した本発明の防水コネクタ１によれば、シール収容溝３１内のパッキン３の正規な姿勢を保持する姿勢保持部をパッキン３に設けたことにより、パッキン３をシール収容溝３１に確実に正規の姿勢で収容することができるため、防水コネクタ１内の防水を確実に保つことができる。
【００６３】
パッキン３は、パッキン本体部５５と、姿勢保持部が形成されるパッキン側面部６０と、壁部に当接する壁面当接部６２とで形成され、姿勢保持部は、パッキン側面部６０からシール収容溝３１の側面３５に向けて突出する突起部５７であるため、突起部５７がシール収容溝３１の側面３５に当接し、防水コネクタ１を相手側のコネクタハウジングに取り付ける際、突起部５７がパッキン３の回転を防止することができる。
【００６４】
また、パッキン３に突起部５７を設けるだけの構成であるので、パッキン３及びシール収容溝３１に複雑な加工を施すことがないため、防水コネクタ１を容易に製造することができる。
【００６５】
さらに、パッキン本体部５５に一対の先端部６１が設けられていることにより、一対の先端部６１がシール収容溝３１の底面溝３３に当接するため、防水コネクタ１組み付け時にパッキン３がシール収容溝３１内で回転しようとする回転力を分散することができ、パッキン３の回転を防止することができる。
【００６６】
また、一対の先端部６１の間に凹設して形成される凹部５９が設けられていることにより、シール収容溝３１へのパッキン３の充填率を高めることなくパッキン３をシール収容溝３１内に収容することができる。
【００６７】
加えて、シール収容溝３１の対向する側面３５間の距離（Ｃ）から前記側面３５へ向けて突出する突起部５７間の距離（Ｄ）を引いた値が、前記シール収容溝３１の側面３５間の距離からパッキン本体部５５の厚み寸法を引いた値より小さいことにより、シール収容溝３１内に突起部５７が当接してパッキン３が回転することを防止することができる。
【００６８】
すなわち、突起部５７を備えたパッキン３がコネクタ本体２に形成されたシール収容溝３１に収容されるため、突起部５７の突出高さによりシール収容溝３１の幅Ｃとパッキン３の幅Ｄを従来の構造（幅Ａと幅Ｂとの隙間）よりもシール収容溝３１とパッキン３との隙間を小さくすることができる。
【００６９】
また、従来の構造である凹溝１０５に本実施例のパッキン３を用いた場合においても、突起部５７が凹溝１０５の側面に当接し、突起部５７がパッキン３の回転を防止することができる。このため、従来の構造を用いた防水コネクタ１００を相手側のコネクタハウジングに取り付ける場合であっても、パッキン３を凹溝１０５に確実に正規の姿勢で収容することができ、防止コネクタ１００内の防水を確実に保つことができる。
【００７０】
したがって、相手側のコネクタハウジングに取り付ける際には、シール収容溝３１から露出したパッキン３をシール収容溝３１に押し付けることができるので、防水コネクタ１と相手側コネクタとの間を確実にシールすることができる。
【００７１】
加えて、パッキン本体部５５に凹部５９を設けたことにより、パッキン３を撓ませながらシール収容溝３１内に挿入することができるため、シール収容溝３１に収容されたパッキン３が弾性復帰することによってパッキン３とシール収容溝３１との隙間を限りなく削減することができる。
【００７２】
なお、本実施例ではパッキン本体部から突出する突起部を姿勢保持部としているが、パッキンがシール収容溝内で回転しない構造であれば突起部以外を用いてもよい。
【００７３】
加えて、本実施例の突起部は、側面側に突出する１つの側面側突起によって形成されているが、側面側に突出する側面側突起は複数であってもよい。
【産業上の利用可能性】
【００７４】
本発明は、防水コネクタ等に用いられるパッキンに利用することができる。
【符号の説明】
【００７５】
１  防水コネクタ
２  コネクタ本体
３  パッキン
４  電線
２９  当接面
３１  シール収容溝
【図１】
2014232628.tif 000003
【図２】
2014232628.tif 000004
【図３】
2014232628.tif 000005
【図４】
2014232628.tif 000006
【図５】
2014232628.tif 000007
【図６】
2014232628.tif 000008